【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
潤滑剤と、
上記潤滑剤を潤滑剤供給対象に供給する供給部材と、
上記潤滑剤の量を検知する潤滑剤量検知手段とを備えた潤滑剤供給装置において、
上記潤滑剤量検知手段は、回転部材と、上記回転部材に当接して上記回転部材を回転させる当接部材とを備え、上記回転部材の上記当接部材との当接箇所と上記回転部材の回転の支点を挟んで反対側に上記検知を行う検知部を備えたことを特徴とする潤滑剤供給装置。
【請求項２】
潤滑剤と、
上記潤滑剤を潤滑剤供給対象に供給する供給部材と、
上記潤滑剤の量を検知する潤滑剤量検知手段とを備えた潤滑剤供給装置において、
上記潤滑剤量検知手段は、
回転部材と、
上記回転部材の一端側に当接して上記回転部材を回転させる当接部材と、
上記回転部材の他端側において上記検知を行う検知部と、
を備えたことを特徴とする潤滑剤供給装置。
【請求項３】
請求項１または２に記載の潤滑剤供給装置において、
上記潤滑剤が固形であることを特徴とする潤滑剤供給装置。
【請求項４】
請求項１ないし３いずれかに記載の潤滑剤供給装置において、
上記潤滑剤量検知手段は、前記潤滑剤の量が所定量以下であることを検知することを特徴とする潤滑剤供給装置。
【請求項５】
請求項１ないし４いずれかに記載の潤滑剤供給装置において、
上記当接部材は、上記潤滑剤の消費に伴い上記回転部材を回転させることを特徴とする潤滑剤供給装置。
【請求項６】
請求項１ないし５いずれかに記載の潤滑剤供給装置において、
上記潤滑剤を保持する潤滑剤保持部材を備え、
上記当接部材は、上記潤滑剤保持部材から前記潤滑剤保持部材の短手方向に突出する突出部であることを特徴とする潤滑剤供給装置。
【請求項７】
請求項１乃至６いずれかに記載の潤滑剤供給装置において、
上記回転部材の自重による回転方向を、上記潤滑剤の消費に伴い回転する方向と逆方向にしたことを特徴とする潤滑剤供給装置。
【請求項８】
請求項７に記載の潤滑剤供給装置において、
上記回転部材の上記当接部材が当接する箇所は板状形状とし、上記当接部材との当接箇所と上記回転部材の回転の支点を挟んで反対側を筒形状として、上記当接部材との当接箇所と上記回転部材の回転の支点を挟んで反対側の重量を、上記当接部材との当接箇所よりも重くしたことを特徴とする潤滑剤供給装置。
【請求項９】
請求項８に記載の潤滑剤供給装置において、
上記回転部材の筒形状の内周面に当接して上記回転部材の自重による回転を規制する規制突起を備えたことを特徴とする潤滑剤供給装置。
【請求項１０】
請求項１乃至９いずれかに記載の潤滑剤供給装置において、
上記回転部材の上記当接部材が当接する箇所よりも鉛直方向上方に上記反対側の箇所を配置したことを特徴とする潤滑剤供給装置。
【請求項１１】
請求項１乃至１０いずれかに記載の潤滑剤供給装置において、
上記潤滑剤を収納する収納ケースを備え、
上記検知部を収納ケースの外に設けたことを特徴とする潤滑剤供給装置。
【請求項１２】
請求項１１に記載の潤滑剤供給装置において、
上記収納ケースには、上記当接部材が貫通する開口部が設けられており、上記収納ケースの外側で上記当接部材が上記回転部材と当接することを特徴とする潤滑剤供給装置。
【請求項１３】
請求項１２に記載の潤滑剤供給装置において、
上記潤滑剤量検知手段と上記開口部を覆うカバー部材を設けたことを特徴とする潤滑剤供給装置。
【請求項１４】
請求項１２または１３に記載の潤滑剤供給装置において、
上記開口部が配置された空間と、上記潤滑剤量検知手段が配置された空間とに仕切る仕切り手段を設けたことを特徴とする潤滑剤供給装置。
【請求項１５】
請求項１２乃至１４いずれかに記載のの潤滑剤供給装置において、
上記潤滑剤量検知手段を、上記供給部材と上記潤滑剤との当接部よりも上記供給部材表面移動方向下流側に配置したことを特徴とする潤滑剤供給装置。
【請求項１６】
請求項１乃至１５いずれかに記載の潤滑剤供給装置において、
上記潤滑剤量検知手段を、上記潤滑剤長手方向両端部近傍に設けたことを特徴とする潤滑剤供給装置。
【請求項１７】
請求項１乃至１６いずれかに記載の潤滑剤供給装置において、
上記検知部は、第１電極部材と、上記回転部材により上記第１電極部材へ当接される第２電極部材とを備え、上記第１電極部材と上記第２電極部材との間の導通状態を検知することを特徴とする潤滑剤供給装置。
【請求項１８】
請求項１７に記載の潤滑剤供給装置において、
上記導通状態により、上記潤滑剤の残量が所定量以下であることが判定されることを特徴とする潤滑剤供給装置。
【請求項１９】
請求項１７または１８に記載の潤滑剤供給装置において、
上記導通状態を検知する抵抗検知部を備え、
抵抗検知部が検知した電気抵抗値が所定値以下であることが検知されることにより、上記潤滑剤の残量が所定量以下であることが判定されることを特徴とする潤滑剤供給装置。
【請求項２０】
請求項１６乃至１９いずれかに記載の潤滑剤供給装置において、
上記第１電極部材と上記第２電極部材とが対面していることを特徴とする潤滑剤供給装置。
【請求項２１】
請求項１乃至２０いずれかに記載の潤滑剤供給装置において、
上記潤滑剤量検知手段は、上記潤滑剤の終了前のニアエンド状態を検知することを特徴とする潤滑剤供給装置。
【請求項２２】
像担持体と、該像担持体の表面に潤滑剤を供給する潤滑剤供給手段とを有し、該像担持体上の画像を記録材上に転移させて該記録材上に画像を形成する画像形成装置において、
上記潤滑剤供給手段として、請求項１乃至２１いずれかに記載の潤滑剤供給装置を用いたことを特徴とする画像形成装置。
【請求項２３】
像担持体と、該像担持体の表面に潤滑剤を供給する潤滑剤供給手段とを有し、画像形成装置本体に対して着脱可能に構成されたプロセスカートリッジにおいて、
上記潤滑剤供給手段として、請求項１乃至２１いずれかに記載の潤滑剤供給装置を用いたことを特徴とするプロセスカートリッジ。
【手続補正２】
【補正対象書類名】明細書
【補正対象項目名】０００８
【補正方法】変更
【補正の内容】
【０００８】
上記目的を達成するために、請求項１の発明は、潤滑剤と、上記潤滑剤を潤滑剤供給対象に供給する供給部材と、上記潤滑剤の量を検知する潤滑剤量検知手段とを備えた潤滑剤供給装置において、上記潤滑剤量検知手段は、回転部材と、上記回転部材に当接して上記回転部材を回転させる当接部材とを備え、上記回転部材の上記当接部材との当接箇所と上記回転部材の回転の支点を挟んで反対側に上記検知を行う検知部を備えたことを特徴とするものである。
【手続補正３】
【補正対象書類名】明細書
【補正対象項目名】０００９
【補正方法】変更
【補正の内容】
【０００９】
本発明によれば、上記回転部材の上記押し部材との当接箇所と上記回転部材の回転の支点を挟んで反対側に、潤滑剤が所定量以下であることを検知する検知部を備えるので、検知する箇所を潤滑剤と供給部材との当接部近傍から離した位置に位置させることができる。これにより、上記反対側の箇所で潤滑剤が所定量以下であることを検知する手段を、供給部材との当接部近傍から離した位置に位置させることができる。
【手続補正４】
【補正対象書類名】明細書
【補正対象項目名】００１０
【補正方法】変更
【補正の内容】
【００１０】
このように、本発明によれば、上記反対側の箇所で潤滑剤が所定量以下であることを検知する検知部を、供給部材と潤滑剤との当接部近傍から離れた位置に配置することが可能となり、供給部材により削り取られた潤滑剤が飛散して上記手段に付着するのを抑制することができ、残量の誤検知を抑制することができる。